(57)【特許請求の範囲】
【請求項１】
開口を有する筐体と、
この筐体の内部に設けられ、基板を収容する第１の領域を挟んで前記開口と反対側に配置された壁部材と、
前記筐体の内部に前記壁部材に隣接して設けられ、前記壁部材を挟んで前記第１の領域と反対側に向かって外周面が突出した半円筒状のガイド部材とを備え、
前記壁部材は、前記ガイド部材に隣接して設けられた凹部を有し、
前記ガイド部材は、前記基板に一端が接続され前記凹部を介して前記第１の領域から引き出されたケーブルが前記筐体の前記第１の領域を挟んで反対側に設けられた前記開口から外部に導出されるように、前記ケーブルの一部を前記外周面に沿ってガイドして前記ケーブルの向きを変える
ことを特徴とするケース。
【請求項２】
前記ガイド部材の周囲に設けられ、前記ケーブルを挟持する挟持部材
をさらに備えることを特徴とする請求項１記載のケース。
【請求項３】
前記ガイド部材および前記開口は、前記第１の領域を挟む両側に設けられ、
前記基板に接続された２つのケーブルのうち、一方のケーブルは、一方の前記ガイド部材により向きを変えられて他方の前記開口から外部に導出され、他方のケーブルは、他方の前記ガイド部材により向きを変えられて前記一方のケーブル上を通って一方の開口から外部に導出される
ことを特徴とする請求項１または２記載のケース。
【請求項４】
基板と、この基板に一端が接続されたケーブルと、前記基板と前記ケーブルの一部とを収容するケースとからなるアダプタであって、
前記ケースは、請求項１乃至３のいずれか１つに記載されたケースである
ことを特徴とするアダプタ。
【発明の詳細な説明】
【技術分野】
【０００１】
本発明は、ケースに関するものであり、特に、内部にケーブルが接続された基板を収容し、そのケーブルを外部に導出するケースに関するものである。
【背景技術】
【０００２】
中高層住宅において、水道やガスの使用量を検針するために検針員が一戸ずつ訪問して検針用メータの検針を行わずにすむように、集中検針盤を設けることがある。各戸のメータは、アダプタを介して集中検針盤に接続され、検針員は、集中検針盤を操作することで各戸のメータの指針を読み取ることができる。
メータと集中検針盤とを接続するアダプタは、基板と、この基板に一端が接続された２本のケーブルと、この基板およびケーブルの一部を収容するケースとを備えている。このようなアダプタは、ケース外部に導出された２本のケーブルのうち、一方の他端をメータに接続し、他方の他端を集中検針盤に接続することにより、メータと集中検針盤とを電気的に接続している（例えば、特許文献１参照。）。
【先行技術文献】
【特許文献】
【０００３】
【特許文献１】特開２０１０−２０４９５０号公報
【発明の概要】
【発明が解決しようとする課題】
【０００４】
上述したようなアダプタは、一方のケーブルの他端がメータに接続された状態で、メータと共に提供されることがある。このため、メータと集中検針盤の接続作業を行う作業員は、ケーブルを持ってメータを運ぶことがあった。すると、ケーブルに負荷がかかり、ケーブルがちぎれたり、ケーブルと基板との接続部が破損したりして、ケーブルがケースから抜けることがあった。
【０００５】
このようなケーブルの抜けを防ぐためには、例えば、基板とケーブルとを強固に接続するコネクタを設けることが行われているが、この場合にはコネクタを設けるために部品点数が多くなるので、高コストとなるとともに製造工程が複雑になってしまう。
【０００６】
そこで、本発明は、ケーブルをより抜けにくくすることができるアダプタ用のケースおよびアダプタを提供することを目的とする。
【課題を解決するための手段】
【０００７】
上述したような課題を解決するために、本発明に係るケースは、筐体と、この筐体の内部に設けられ、基板を収容する第１の領域を形成する壁部材と、筐体の内部に第１の領域に隣接して設けられ、基板に接続されたケーブルの一部をガイドするガイド部材とを備え、基板に接続されたケーブルは、第１の領域から引き出された後、ガイド部材に沿って向きを変え、第１の領域から引き出された側と反対側の筐体に設けられた開口から外部に導出されることを特徴とする。
【０００８】
上記ケースにおいて、ガイド部材の周囲に設けられ、ケーブルを挟持する挟持部材をさらに備えるようにしてもよい。
【０００９】
また、上記ケースにおいて、ガイド部材および開口は、第１の領域を挟む両側に設けられ、基板に接続された２つのケーブルのうち、一方のケーブルは、一方のガイド部材により向きを変えられて他方の開口から外部に導出され、他方のケーブルは、他方のガイド部材により向きを変えられて一方のケーブル上を通って一方の開口から外部に導出されるようにしてもよい。
【００１０】
また、本発明に係るアダプタは、基板と、この基板に一端が接続されたケーブルと、基板とケーブルの一部とを収容するケースとからなるアダプタであって、ケースは、上述したケースであることを特徴とする。
【発明の効果】
【００１１】
本発明によれば、基板に接続されたケーブルが、第１の領域から引き出された後、ガイド部材に沿って向きを変え、第１の領域から引き出された側と反対側の前記筐体に設けられた開口から外部に導出されることにより、ケーブルとガイド部材との間で摩擦力が働くので、結果として、ケーブルが抜けにくくなる。
【図面の簡単な説明】
【００１２】
【図１】図１は、本発明の実施の形態に係るケースを備えたアダプタの構成を模式的に示す分解図である。
【図２Ａ】図２Ａは、下ケースの構成を模式的に示す平面図である。
【図２Ｂ】図２Ｂは、図２ＡのI-I線断面図である。
【図２Ｃ】図２Ｃは、図２ＡのII-II線断面図である。
【図２Ｄ】図２Ｄは、図２ＡのIII線断面図である。
【図２Ｅ】図２Ｅは、図２ＡのIV線断面図である。
【図２Ｆ】図２Ｆは、図２ＡのV線断面図である。
【図２Ｇ】図２Ｇは、図２ＡのVI線断面図である。
【図３Ａ】図３Ａは、上ケースの構成を模式的に示す平面図である。
【図３Ｂ】図３Ｂは、図３ＡのVII-VII線断面図である。
【図３Ｃ】図３Ｃは、図３ＡのVIII線断面図である。
【図３Ｄ】図３Ｄは、図３ＡのIX線断面図である。
【図３Ｅ】図３Ｅは、図３ＡのX線断面図である。
【図４】図４は、アダプタの組み立て方法を説明するための図である。
【図５】図５は、アダプタの組み立て方法を説明するための図である。
【図６】図６は、アダプタの組み立て方法を説明するための図である。
【図７】図７は、アダプタの組み立て方法を説明するための図である。
【図８】図８は、アダプタの組み立て方法を説明するための図である。
【図９】図９は、図８のXI-XI線断面図である。
【発明を実施するための形態】
【００１３】
以下、図面を参照して、本発明の実施の形態について詳細に説明する。なお、本実施の形態では、本発明に係るケースをアダプタに適用した場合を例に説明する。
【００１４】
［アダプタの構成］
図１に示すように、本実施の形態に係るアダプタは、基板１と、下ケース３および上ケース４とから構成され、内部に基板１を内部に収容する筐体からなるケース２とから構成される。ここで、基板１には、集中検針盤に接続される検針盤用ケーブル５と、ガスや水道のメータに接続されるメータ用ケーブル６とが接続されている。
【００１５】
＜基板の構成＞
基板１は、平面視略矩形に形成された公知のプリント基板から構成され、メータから受信した指針値を集中検針盤に送信する回路を備えている。このような基板１上面には、電池１１と、端子台１２と、パッド１３とが配設されている。
電池１１は、公知の電池から構成され、基板１と電気的に接続されて上記回路に駆動電流を供給する。このような電池１１は、基板１上面における一方の長辺側に設けられている。
端子台１２は、検針盤用ケーブル５の端子が接続される公知の端子台から構成され、基板１と電気的に接続されている。このような端子台１２は、基板１上面における他方の長辺側の略中央部に配設されている。
パッド１３は、メータ用ケーブル６の端部が接続される基板１上面のパッドからなる。このパッド１３は、基板１上面における他方の長辺側において、一方の短辺側に形成されている。
【００１６】
＜ケースの構成＞
ケース２は、長方形の一方の長辺側の両端部を斜めに切り欠いた六角形の平面形状を有する六角柱状の筐体から構成される。このようなケース２は、上面が開口した上記六角柱状の筐体からなる下ケース３と、上面が開口した六角柱状の筐体からなる上ケース４とからなり、下ケース３の上面開口を構成する縁部と、上ケース４の上面開口を構成する縁部とを当接させた下ケース３と上ケース４とを組み合わせることにより、１つの内部空間を形成する。
【００１７】
≪下ケースの構成≫
下ケース３は、図２Ａ〜図２Ｇに示すように、上面が開口した六角柱状の筐体から構成される。具体的には、上記六角形の平面形状を有する底面部材３ａと、この底面部材３ａからそれぞれ同じ高さまで立設された矩形の板状の６つの側壁部材３ｂ〜３ｇと備えている。ここで、底面部材３ａの六角形状において、側壁部材３ｂは切り欠かれた一方の長辺、側壁部材３ｃは切り欠かれていない他方の長辺、側壁部材３ｄは切り欠かれた一方の短辺、側壁部材３ｅは切り欠かれた他方の短辺、側壁部材３ｆは側壁部材３ｄ側の斜辺、側壁部材３ｇは側壁部材３ｅ側の斜辺から、それぞれ立設されている。
【００１８】
ここで、側壁部材３ｂの上面には、略中央部に爪部材３ｂ−１が形成されている。また、側壁部材３ｃの上面には、略中央部と両端部との間の部分に、爪部材３ｃ−１，３ｃ−２が形成されている。
また、側壁部材３ｄの上面には、側壁部材３ｃに隣接する位置に、厚さ方向の断面が半円状の凹部３ｄ−１が形成されている。この凹部３ｄ−１は、検針盤用ケーブル５を導出する開口の一部を構成する。このため、凹部３ｄ−１の形状は、検針盤用ケーブル５の外径に対応している。
同様に、側壁部材３ｅの上面には、側壁部材３ｃに隣接する位置に、厚さ方向の断面が半円状の凹部３ｅ−１が形成されている。この凹部３ｅ−１は、メータ用ケーブル６の導出する開口の一部を構成する。このため、凹部３ｅ−１の形状は、メータ用ケーブル６の外径に対応している。
【００１９】
底面部材３ａ上面における略中央部には、基板１を収容するための収容領域３１が形成されている。具体的には、収容領域３１は、側壁部材３ｂと、側壁部材３ｃの側壁部材３ｂと対向する部分との間の矩形状の領域から構成される。このような収容領域３１の側壁部材３ｂ，３ｃと接しない両辺には、基板１を支持するための支持部材３１ａが設けられている。
【００２０】
底面部材３ａ上面における収容領域３１の両側には、半円筒状のガイド部材３２，３３が、その軸線を底面部材３ａの平面と直交させた状態で立設されている。ここで、ガイド部材３２とガイド部材３３とは、互いの内周面を対向させた状態で配設されている。したがって、ガイド部材３２の外周面は側壁部材３ｃ，３ｄ，３ｆと対向し、ガイド部材３３の外周面は側壁部材３ｃ，３ｅ，３ｇと対向することとなる。
【００２１】
ガイド部材３２の外周面には、ガイド部材３２の半円形状の中心から放射状に等間隔に立設された板状のリブ部材３２１〜３２７が形成されている。このリブ部材３２１〜３２７の上面には、ガイド部材３２と隣接する位置に凹部が形成されている。例えば、図２Ｄに示すように、リブ部材３２３には、厚さ方向の断面が半円状の凹部３２３ａが形成されている。リブ部材３２１，３２２，３２４，３２５にも、同様の凹部３２１ａ，３２２ａ，３２４ａ，３２５ａが形成されている。ここで、凹部の深さ、すなわち、ガイド部材の上面から下面に向かって切り欠かれる長さは、リブ部材３２１の凹部３２１ａからリブ部材３２５の凹部３２５ａに向かって順番により深く形成されている。
また、リブ部材３２６には、図２Ｅに示すように、上面から高さ方向における中央部にまで切り欠かれ、その底部が半円状の凹部３２６ａが形成されている。なお、リブ部材３３２の壁部材３ｃ側の端部は、斜めに切り欠かれた切り欠き部３２６ｂが形成されている。
また、リブ部材３２７には、図２Ｂに示すように、上面から高さ方向における中央部にまで切り欠かれ、その底部が半円状の凹部３２６ａが形成されている。
【００２２】
さらに、凹部３ｄ−１近傍の領域には、側壁部材３ｂと平行に底面部材３ａから立設された板状の２つの支持部材３２８，３２９が等間隔に形成されている。支持部材３２８，３２９の上面には、側壁部材３ｂを正面視したときに、凹部３ｄ−１と連続する凹部３２８ａ，３２９ａが形成されている。
【００２３】
一方、ガイド部材３３の外周面には、リブ３２６に対応する部材を除いた以外はガイド部材３２と同様に、ガイド部材３３の半円形状の中心から放射状に等間隔に立設された板状のリブ部材３３１〜３３６が形成されている。
このリブ部材３３１〜３３６の上面には、ガイド部材３３と隣接する位置に凹部が形成されている。例えば、図２Ｆに示すように、リブ部材３３２には、厚さ方向の断面が半円状の凹部３３２ａが形成されている。リブ部材３３１，３２２，３３４，３３５にも、同様の凹部３３１ａ，３３２ａ，３３４ａ，３３５ａが形成されている。ここで、リブ部材３３１〜３３５における凹部の深さは、それぞれ同一の深さに形成されている。
一方、リブ部材３３６については、図２Ｃに示すように、上面から高さ方向における中央部にまで切り欠かれ、その底部が半円状の凹部３３６ａが形成されている。
【００２４】
さらに、凹部３ｅ−１の近傍には、側壁部材３ｅと平行に底面部材３ａから立設された板状の２つの支持部材３３８，３３９が等間隔に形成されている。支持部材３３８，３３９の上面には、側壁部材３ｂを正面視したときに、凹部３ｅ−１と連続する凹部３３８ａ，３３９ａが形成されている。これらの凹部の深さ、すなわち、支持部材の上面から下面に向かって切り欠かれる長さは、支持部材３３８から側壁部材３ｅに向かって順番に浅くなるように形成されている。
【００２５】
≪上ケースの構成≫  
上ケース４は、図３Ａ〜図３Ｅに示すように、下ケース３と同様の上面が開口した六角柱状の筐体から構成され、長方形の一方の長辺の両端部を斜めに切り欠いた六角形の平面形状を有する底面部材４ａと、この底面部材４ａからそれぞれ同じ高さまで立設された矩形の板状の６つの側壁部材４ｂ〜４ｇと備えている。ここで、底面部材４ａが有する六角形状において、側壁部材４ｂは切り欠かれた一方の長辺、側壁部材４ｃは切り欠かれていない他方の長辺、側壁部材４ｄは一方の短辺、側壁部材４ｅは他方の短辺、側壁部材４ｆは側壁部材４ｄ側の斜辺、側壁部材４ｇは側壁部材４ｅ側の斜辺から、それぞれ立設されている。
【００２６】
ここで、側壁部材４ｄの上面には、側壁部材４ｃに隣接する位置に、厚さ方向の断面が半円状の凹部４ｄ−１が形成されている。この凹部４ｄ−１は、凹部３ｄ−１とともに、検針盤用ケーブル５の導出口の一部を構成する。このため、凹部４ｄ−１の形状は、検針盤用ケーブル５の外径に対応している。
同様に、側壁部材４ｅの上面には、側壁部材４ｃに隣接する位置に、厚さ方向の断面が半円状の凹部４ｅ−１が形成されている。この凹部４ｅ−１は、凹部３ｅ−１とともにメータ用ケーブル６の導出口の一部を構成する。このため、凹部４ｅ−１の形状は、メータ用ケーブル６の外径に対応している。
また、側壁部材４ｂの上面には、略中央部に爪部３ｂ−１と係合する爪孔４ｂ−１が形成されている。また、側壁部材４ｃの上面には、略中央部と両端部との間の部分に、爪部３ｃ−１，３ｃ−２と係合する爪孔４ｃ−１，４ｃ−２が形成されている。
【００２７】
底面部材４ａの上面には、略中央部に下ケース３の収容領域とともに基板１を収容するための空間を構成する収容領域４１が形成されている。具体的には、収容領域４１は、側壁部材４ｂと、側壁部材４ｃの側壁部材４ｂと対向する部分との間の矩形状の領域から構成される。
【００２８】
底面部材４ａ上面における収容領域４１の両側には、半円筒状のガイド部材４２，４３が、その軸線を底面部材４ａの平面と直交させた状態で立設されている。このガイド部材４２，４３の外径は、ガイド部材３２，３３の内径に対応している。また、ガイド部材４２，４３の高さは、側壁部材４ｂ〜４ｇよりもガイド部材３２，３３の高さの分だけ高く形成されている。このような、ガイド部材４２とガイド部材４３とは、互いの内周面を対向させた状態で配設されている。したがって、ガイド部材４２の外周面は側壁部材４ｃ，４ｄ，４ｆと対向し、ガイド部材４３の外周面は側壁部材４ｃ，４ｅ，４ｇと対向することとなる。
【００２９】
ガイド部材４２の外周面には、ガイド部材４２の半円形状の中心から放射状に等間隔に立設された板状のリブ部材４２１〜４２７が形成されている。このリブ部材４２１〜４２７の上面には、ガイド部材４２と隣接する位置に凹部が形成されている。例えば、図３Ｃに示すように、リブ部材４２３には、厚さ方向の断面が半円状の凹部４２３ａが形成されている。リブ部材４２１，４２２，４２４〜４２７にも、同様の凹部４２１ａ，４２２ａ，４２４ａ〜４２７ａが形成されている。ここで、凹部の深さ、すなわち、ガイド部材の上面から下面に向かって切り欠かれる長さは、リブ部材４２１からリブ部材４２７に向かって順番により高く形成されている。
【００３０】
さらに、凹部４ｄ−１近傍の領域には、側壁部材４ｂと平行に底面部材４ａから立設された板状の２つの支持部材４２８，４２９が等間隔に形成されている。支持部材４２８，４２９の上面には、側壁部材４ｂを正面視したときに、凹部４ｄ−１と連続する凹部４２８ａ，４２９ａが形成されている。
【００３１】
一方、ガイド部材４３の外周面には、ガイド部材３３の場合と同様、ガイド部材４３の半円形状の中心から放射状に等間隔に立設された板状のリブ部材４３１〜４３７が形成されている。
このリブ部材４３１〜４３７の上面には、ガイド部材４３と隣接する位置に凹部が形成されている。例えば、図３Ｄに示すように、リブ部材４３３には、厚さ方向の断面が半円状の凹部４３３ａが形成されている。リブ部材４３１，４３２，４３４〜４３７にも、同様の凹部４３１ａ，４３２ａ，４３４ａ〜４３７ａが形成されている。ここで、リブ部材４３１〜４３７における凹部の深さは、それぞれ同一の深さに形成されている。なお、リブ部材４３６の凹部４３６ａについては、図３Ｅに示すように、側壁部材４ｃ側の端部が円弧状に切り欠かれた形状を有している。
【００３２】
さらに、凹部４ｅ−１の近傍には、側壁部材４ｅと平行に底面部材４ａから立設された板状の２つの支持部材４３８，４３９が等間隔に形成されている。支持部材４３８，４３９の上面には、側壁部材４ｂを正面視したときに、凹部４ｅ−１と連続する凹部４３８ａ，４３９ａが形成されている。
【００３３】
＜検針盤用ケーブルの構成＞
検針盤用ケーブル５は、一端に端子５ａが形成され、他端に検針盤が接続される公知のケーブルから構成される。端子５ａは、基板１の端子台１２に接続される。
【００３４】
＜メータ用ケーブルの構成＞
メータ用ケーブル６は、一端に基板１のパッド１３にはんだ付けされ、他端に水道やガスのメータに接続するためのコネクタ６１が形成された公知のケーブルから構成される。
【００３５】
［組み立て方法］
次に、本実施の形態に係るアダプタの組み立て方法について図４〜図９を参照して説明する。
【００３６】
まず、図４に示すように、メータ用ケーブル６が接続された基板１を、下ケース３の収容領域３１に収容させる。例えば、収容領域３１に基板１を嵌め込んだり、基板１の下面に支持部材３１ａと係合する構造を予め形成しておいたりすることにより実現することができる。このとき、基板１上の電池１１と側壁部材３ｃとの間には、メータ用ケーブル６の幅程度の間隔が形成される。
【００３７】
収容領域３１に基板１が収容されると、図５に示すように、メータ用ケーブル６を、ガイド部材３２の外周面に巻き付け、電池１１と側壁部材３ｃとの間の空間を通過させた後、支持部材３３８，３３９を介して凹部３ｅ−１から下ケース３外部に導出させる。このとき、メータ用ケーブル６は、リブ部材３２１〜３２７の凹部３２１ａ〜３２７ａの凹部に嵌め込んだ状態で、ガイド部材３２の外周面に沿って巻き付けられる。ここで、凹部３２１ａ〜３２５ａの深さは、凹部３２５ａに向かうほど深く形成されている。したがって、メータ用ケーブル６は、凹部３２１ａ〜３２５ａを進むに連れて底面部材３ａ側に移動することとなる。また、凹部３ｅ−１近傍において、メータ用ケーブル６は、支持部材３３８，３３９の凹部３３８ａ，３３９ａに嵌め込んだ状態とされる。この凹部３３８ａ，３３９ａは、凹部３ｅ−１に向かって浅くなるように形成されているので、メータ用ケーブル６は、底面部材３ａ側から上方に持ち上げられて、凹部３ｅ−１に導出されることとなる。
【００３８】
メータ用ケーブル６が下ケース３に取り付けられると、図６に示すように、検針盤用ケーブル５の端子５ａを基板１の端子台１２に取り付ける。
【００３９】
検針盤用ケーブル５が端子台１２に取り付けられると、図７に示すように、検針盤用ケーブル５を、ガイド部材３４の外周面に巻き付け、電池１１と側壁部材３ｃとの間に配置されたメータ用ケーブル６上を通って、支持部材３２８，３２９を介して凹部３ｄ−１から下ケース３外部に導出させる。このとき、検針盤用ケーブル５は、リブ部材３３１〜３３６の凹部３３１ａ〜３３６ａの凹部に嵌め込んだ状態で、ガイド部材３２の外周面に沿って巻き付けられる。ここで、凹部３３１ａ〜３３６ａの深さおよび支持部材３２８，３２９の凹部３２８ａ，３２９ａは、同等の深さとなっている。また、メータ用ケーブル６と重なる部分では、メータ用ケーブル６が底面部材３ａ側に配置されている。したがって、検針盤用ケーブル５は、同じ高さのままガイド部材３４の外周面に巻き付けられた後、底面部材３ａ側に配置されたメータ用ケーブル６上を通り、この高さのままその凹部３２８ａ〜３２９ａを通過して凹部３ｄ−１から外部に導出されることとなる。
【００４０】
検針盤用ケーブル５が下ケース３に取り付けられると、図７の符号ａで示すように、下ケース３に上ケース２を嵌合させる。具体的には、下ケース３の開口と上ケース４の開口とを対向配置させ、かつ、下ケース３のガイド部材３３，３４の内周面に上ケース４のガイド部材４３，４４の外周面が挿入するように下ケース３と上ケース４とを互いに近づける。そして、爪部３ｂ−１と爪孔４ｂ−１、爪部３ｃ−１と爪孔４ｃ−１、爪部３ｃ−２と爪孔４ｃ−２とを係合させる。すると、図８に示すように、下ケース３と上ケース４とが一体化され、基板１がケース２内部に収容されかつケース２から検針盤用ケーブル５おおよびメータ用ケーブル６が導出された状態となる。
【００４１】
このとき、検針盤用ケーブル５は、ガイド部材３３およびガイド部材４３に巻き付いた状態で向きが変えられている。同様に、メータ用ケーブル６も、ガイド部材３２およびガイド部材４２に巻き付いた状態で向きが変えられている。したがって、それらのケーブルは、ガイド部材に密着した状態となっている。これにより、検針盤用ケーブル５またはメータ用ケーブル６が引っ張られる等により荷重がかかっても、ガイド部材との間に摩擦力が生じるために移動することが妨げられるので、結果として、それらのケーブルの抜けを防ぐことができる。
【００４２】
また、下ケース３のリブ部材３２１〜３２７は、上ケース４の対応するリブ部材４２１〜４２７と互いの上面が当接した状態となっている。この状態において、凹部３２１ａ〜３２７ａと凹部４２１ａ〜４２７ａとは、互いに向かい合い、厚さ方向に１つの円形または楕円形の空間を形成する。その空間には、検針盤用ケーブル５またはメータ用ケーブル６が挿通され、一対の凹部によりそのケーブルが挟持された状態となっている。同様の状況が、凹部３３１ａ〜３３６ａと凹部４３１ａ〜４３５ａ，４３７ａとの間にも生じている。例えば、図８に示すように、凹部３３１ａと凹部４３１ａから構成される円形の空間には、検針盤用ケーブル５が挿通され、この検針盤用ケーブル５がそれらの凹部により挟持されている。また、凹部３３６ａと凹部４３７ａとから構成される楕円形の空間には、検針盤用ケーブル５およびメータ用ケーブル６が挿通され、これらのケーブルが２つの凹部により挟持された状態となっている。このように、検針盤用ケーブル５およびメータ用ケーブル６が凹部により挟持されているので、検針盤用ケーブル５またはメータ用ケーブル６が引っ張られる等により荷重がかかっても、その挟持力により移動することが妨げられるので、結果として、それらのケーブルの抜けを防ぐことができる。
【００４３】
ここで、、凹部３２１ａ〜３２７ａと凹部４２１ａ〜４２７ａ、凹部３３１ａ〜３３６ａと凹部４３１ａ〜４３５ａ，４３７ａにとり形成あれた円形または楕円形の空間の径は、検針盤用ケーブル５またはメータ用ケーブル６の径よりも小さく形成するようにしてもよい。これにより、より強固に検針盤用ケーブル５またはメータ用ケーブル６を教示することができるので、結果として、それらのケーブルの抜けをより効果的に防ぐことができる。
【００４４】
以上説明したように、本実施の形態によれば、検針盤用ケーブル５が、収容領域３１，４１から引き出された後、ガイド部材３３およびガイド部材４３により向きを変え、収容領域３１，４１から引き出された側と反対側のケース２に設けられた凹部３ｄ−１，４ｄ−１から構成される開口から外部に導出させる。また、メータ用ケーブル６が、収容領域３１，４１から引き出された後、ガイド部材３２およびガイド部材４２により向きを変え、収容領域３１，４１から引き出された側と反対側のケース２に設けられた凹部３ｅ−１，４ｅ−１から構成される開口から外部に導出させる。これにより、それらのケーブルがガイド部材に密着した状態となるので、検針盤用ケーブル５またはメータ用ケーブル６が引っ張られる等により荷重がかかっても、ガイド部材との間に摩擦力が生じるために移動することが妨げられ、結果として、それらのケーブルの抜けを防ぐことができる。
【００４５】
なお、本実施の形態において、ガイド部材３２，３３，４２，４３は半円状に形成される場合を例に説明したが、ケーブルを巻き付けて密着させることができるのであれば、その形状は半円に限定されず適宜自由に設定することができる。
【産業上の利用可能性】
【００４６】
本発明は、ケーブルの一端を内部、他端を外部に導出させる各種ケースに適用することができる。
【符号の説明】
【００４７】
１…基板、２…ケース、３…下ケース、３ａ，４ａ…底面部材、３ｂ〜３ｇ，４ｂ〜４ｇ…側壁部材、３ｂ−１，３ｃ−１，３ｃ−２…爪部、４ｂ−１，４ｃ−１，４ｃ−２…爪孔、３ｄ−１，３ｅ−１，４ｄ−１，４ｅ−１…凹部、４…上ケース、５…検針盤用ケーブル、５ａ…端子、６…メータ用ケーブル、６１…コネクタ、１１…電池、１２…端子台、１３…パッド、３１…収容領域、３２，３３，４２，４３…ガイド部材、３２１〜３２７，３２１〜３３６，４２１〜４２７，４３１〜４３７…リブ部材、３２８，３２９，３３８，３３９，４２８，４２９，４３８，４３９…支持部材、３２１ａ〜３２９ａ，３３１ａ〜３３６ａ，３３８ａ，３３９ａ，４２１ａ〜４２９ａ，４３１ａ〜４３９ａ…凹部。
【図１】
0005645866.tif 000002
【図２Ａ】
0005645866.tif 000003
【図２Ｂ】
0005645866.tif 000004
【図２Ｃ】
0005645866.tif 000005
【図２Ｄ】
0005645866.tif 000006
【図２Ｅ】
0005645866.tif 000007
【図２Ｆ】
0005645866.tif 000008
【図２Ｇ】
0005645866.tif 000009
【図３Ａ】
0005645866.tif 000010
【図３Ｂ】
0005645866.tif 000011
【図３Ｃ】
0005645866.tif 000012
【図３Ｄ】
0005645866.tif 000013
【図３Ｅ】
0005645866.tif 000014
【図４】
0005645866.tif 000015
【図５】
0005645866.tif 000016
【図６】
0005645866.tif 000017
【図７】
0005645866.tif 000018
【図８】
0005645866.tif 000019
【図９】
0005645866.tif 000020